【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
第１の画像の輝度情報を得る手段と、
第２の画像の色情報を得る手段であって、前記第２の画像は前記第１の画像の画像処理から生じる画像である、色情報を得る手段と、
前記第１の画像の前記輝度情報に基づいて複数の分割画像領域を決定する手段と、
前記第２の画像の前記色情報に基づいて分割画像領域ごとにカラーシードを決定する手段と、
前記分割画像領域の前記カラーシードを拡散させることに基づいて第３の画像を決定する手段と
を含む、装置。
【請求項２】
前記分割画像領域を決定することは、前記第１の画像の前記輝度情報に基づいてスーパーピクセル分割を行うことを含む、請求項１に記載の装置。
【請求項３】
分割画像領域ごとに前記カラーシードを決定することは、前記分割画像領域内の点を決定し、前記点に色を関連付けることを含み、前記関連付ける色は前記第２の画像の前記色情報に基づく、請求項１に記載の装置。
【請求項４】
分割画像領域ごとに前記カラーシードを決定することは、前記分割画像領域に対応するモルフォロジカルスケルトンを決定し、前記モルフォロジカルスケルトンに色を関連付けることを含み、前記関連付ける色は前記第２の画像の前記色情報に基づく、請求項１に記載の装置。
【請求項５】
前記モルフォロジカルスケルトンに色を関連付けることは、前記第２の画像内の前記分割画像領域の最多色を決定し、前記最多色を前記モルフォロジカルスケルトンに関連付けることを含む、請求項４に記載の装置。
【請求項６】
前記カラーシードを拡散させることに基づいて前記第３の画像を決定することは、前記輝度情報に基づいて前記カラーシードを拡散させることを含む、請求項１に記載の装置。
【請求項７】
前記第１の画像の前記輝度情報は前記第１の画像の輝度成分を含み、前記第３の画像を決定することは、前記カラーシードを拡散させて色成分を取得し、前記色成分を前記第１の画像の前記輝度成分と組み合わせることを含む、請求項６に記載の装置。
【請求項８】
第１の画像の輝度情報を得ることと、
第２の画像の色情報を得ることであって、前記第２の画像は前記第１の画像の画像処理から生じる画像である、色情報を得ることと、
前記第１の画像の前記輝度情報に基づいて複数の分割画像領域を決定することと、
前記第２の画像の前記色情報に基づいて分割画像領域ごとにカラーシードを決定することと、
前記分割画像領域の前記カラーシードを拡散させることに基づいて第３の画像を決定することと
を含む、方法。
【請求項９】
前記分割画像領域を決定することは、前記第１の画像の前記輝度情報に基づいてスーパーピクセル分割を行うことを含む、請求項８に記載の方法。
【請求項１０】
分割画像領域ごとに前記カラーシードを決定することは、前記分割画像領域内の点を決定し、前記点に色を関連付けることを含み、前記関連付ける色は前記第２の画像の前記色情報に基づく、請求項８に記載の方法。
【請求項１１】
分割画像領域ごとに前記カラーシードを決定することは、前記分割画像領域に対応するモルフォロジカルスケルトンを決定し、前記モルフォロジカルスケルトンに色を関連付けることを含み、前記関連付ける色は前記第２の画像の前記色情報に基づく、請求項８に記載の方法。
【請求項１２】
前記モルフォロジカルスケルトンに色を関連付けることは、前記第２の画像内の前記分割画像領域の最多色を決定し、前記最多色を前記モルフォロジカルスケルトンに関連付けることを含む、請求項１１に記載の方法。
【請求項１３】
前記カラーシードを拡散させることに基づいて前記第３の画像を決定することは、前記輝度情報に基づいて前記カラーシードを拡散させることを含む、請求項８に記載の方法。
【請求項１４】
前記第１の画像の前記輝度情報は前記第１の画像の輝度成分を含み、前記第３の画像を決定することは、前記カラーシードを拡散させて色成分を取得し、前記色成分を前記第１の画像の前記輝度成分と組み合わせることを含む、請求項１３に記載の方法。
【請求項１５】
第１の画像の輝度情報を得ることと、
第２の画像の色情報を得ることであって、前記第２の画像は前記第１の画像の画像処理から生じる画像である、色情報を得ることと、
前記第１の画像の前記輝度情報に基づいて複数の分割画像領域を決定することと、
前記第２の画像の前記色情報に基づいて分割画像領域ごとにカラーシードを決定することと、
前記分割画像領域の前記カラーシードを拡散させることに基づいて第３の画像を決定することと
を含む方法を行うために実行可能なコンピュータ実行可能命令を記憶する、非一時的コンピュータ可読媒体。
【手続補正２】
【補正対象書類名】明細書
【補正対象項目名】００５４
【補正方法】変更
【補正の内容】
【００５４】
特許請求の範囲では、指定の機能を行うための手段として表わす如何なる要素もその機能を行う任意の方法を包含することを意図し、例えばその機能を行う回路素子の組合せ、その機能を行うためにソフトウェアを実行するための適切な回路と組み合わせられる任意の形式の、従ってファームウェアやマイクロコード等を含むソフトウェア等を含む。かかる特許請求の範囲によって定める本開示は、列挙した様々な手段によって与えられる機能が、特許請求の範囲が必要とする方法で組み合わせられ、まとめられることにある。従って、それらの機能を提供可能な如何なる手段も本明細書に示した手段と均等と見なす。
上記実施形態の一部又は全部は、以下の付記のようにも記載されうるが、以下には限られない。
（付記１）
プロセッサ（１１４、１１１０）と、
第１の画像の輝度情報を得ること（９０１）、
第２の画像の色情報を得ること（９０２）であって、前記第２の画像は前記第１の画像の画像処理から生じる画像である、色情報を得ること（９０２）、
前記第１の画像の前記輝度情報に基づいて複数の分割画像領域を決定すること（９０３）、
前記第２の画像の前記色情報に基づいて分割画像領域ごとにカラーシードを決定すること（９０４）、及び
前記分割画像領域の前記カラーシードを拡散させることに基づいて第３の画像を決定すること（９０５）
を前記プロセッサに行わせるように構成される命令を記憶するメモリ（１１８、１１２０）と
を含む、システム（１００、１１００）。
（付記２）
前記分割画像領域を決定することは、前記第１の画像の前記輝度情報に基づいてスーパーピクセル分割を行うことを含む、付記１に記載のシステム。
（付記３）
前記分割画像領域を決定することは、２つ以上のスーパーピクセルをマージすることを更に含み、前記スーパーピクセルは前記スーパーピクセル分割を行うことによって生じる、付記２に記載のシステム。
（付記４）
分割画像領域ごとに前記カラーシードを決定することは、前記分割画像領域内の点を決定し、前記点に色を関連付けることを含み、前記関連付けられた色は前記第２の画像の前記色情報に基づく、付記１に記載のシステム。
（付記５）
分割画像領域ごとに前記カラーシードを決定することは、前記分割画像領域に対応するモルフォロジカルスケルトンを決定し、前記モルフォロジカルスケルトンに色を関連付けることを含み、前記関連付けられた色は前記第２の画像の前記色情報に基づく、付記１に記載のシステム。
（付記６）
前記モルフォロジカルスケルトンに色を関連付けることは、前記第２の画像内の前記分割画像領域の最多色を決定し、前記最多色を前記モルフォロジカルスケルトンに関連付けることを含む、付記５に記載のシステム。
（付記７）
前記カラーシードを拡散させることに基づいて前記第３の画像を決定することは、前記輝度情報に基づいて前記カラーシードを拡散させることを含む、付記１に記載のシステム。
（付記８）
前記第１の画像の前記輝度情報は前記第１の画像の輝度成分を含み、前記第３の画像を決定することは、前記カラーシードを拡散させて色成分を取得し、前記色成分を前記第１の画像の前記輝度成分と組み合わせることを含む、付記７に記載のシステム。
（付記９）
第１の画像の輝度情報を得ること（９０１）と、
第２の画像の色情報を得ること（９０２）であって、前記第２の画像は前記第１の画像の画像処理から生じる画像である、色情報を得ること（９０２）と、
前記第１の画像の前記輝度情報に基づいて複数の分割画像領域を決定すること（９０３）と、
前記第２の画像の前記色情報に基づいて分割画像領域ごとにカラーシードを決定すること（９０４）と、
前記分割画像領域の前記カラーシードを拡散させることに基づいて第３の画像を決定すること（９０５）と
を含む、方法。
（付記１０）
前記分割画像領域を決定することは、前記第１の画像の前記輝度情報に基づいてスーパーピクセル分割を行うことを含む、付記９に記載の方法。
（付記１１）
前記分割画像領域を決定することは、２つ以上のスーパーピクセルをマージすることを更に含み、前記スーパーピクセルは前記スーパーピクセル分割を行うことによって生じる、付記１０に記載の方法。
（付記１２）
分割画像領域ごとに前記カラーシードを決定することは、前記分割画像領域内の点を決定し、前記点に色を関連付けることを含み、前記関連付けられた色は前記第２の画像の前記色情報に基づく、付記９に記載の方法。
（付記１３）
分割画像領域ごとに前記カラーシードを決定することは、前記分割画像領域に対応するモルフォロジカルスケルトンを決定し、前記モルフォロジカルスケルトンに色を関連付けることを含み、前記関連付けられた色は前記第２の画像の前記色情報に基づく、付記９に記載の方法。
（付記１４）
前記モルフォロジカルスケルトンに色を関連付けることは、前記第２の画像内の前記分割画像領域の最多色を決定し、前記最多色を前記モルフォロジカルスケルトンに関連付けることを含む、付記１３に記載の方法。
（付記１５）
前記カラーシードを拡散させることに基づいて前記第３の画像を決定することは、前記輝度情報に基づいて前記カラーシードを拡散させることを含む、付記９に記載の方法。
（付記１６）
前記第１の画像の前記輝度情報は前記第１の画像の輝度成分を含み、前記第３の画像を決定することは、前記カラーシードを拡散させて色成分を取得し、前記色成分を前記第１の画像の前記輝度成分と組み合わせることを含む、付記１５に記載の方法。
（付記１７）
第１の画像の輝度情報を得ること（９０１）と、
第２の画像の色情報を得ること（９０２）であって、前記第２の画像は前記第１の画像の画像処理から生じる画像である、色情報を得ること（９０２）と、
前記第１の画像の前記輝度情報に基づいて複数の分割画像領域を決定すること（９０３）と、
前記第２の画像の前記色情報に基づいて分割画像領域ごとにカラーシードを決定すること（９０４）と、
前記分割画像領域の前記カラーシードを拡散させることに基づいて第３の画像を決定すること（９０５）と
を含む方法を行うために実行可能なコンピュータ実行可能命令を記憶する、非一時的コンピュータ可読媒体（１２０、１１４０）。
（付記１８）
前記分割画像領域を決定することは、前記第１の画像の前記輝度情報に基づいてスーパーピクセル分割を行うことを含む、付記１７に記載のコンピュータ可読媒体。
（付記１９）
前記分割画像領域を決定することは、２つ以上のスーパーピクセルをマージすることを更に含み、前記スーパーピクセルは前記スーパーピクセル分割を行うことによって生じる、付記１８に記載のコンピュータ可読媒体。
（付記２０）
分割画像領域ごとに前記カラーシードを決定することは、前記分割画像領域内の点を決定し、前記点に色を関連付けることを含み、前記関連付けられた色は前記第２の画像の前記色情報に基づく、付記１７に記載のコンピュータ可読媒体。
（付記２１）
分割画像領域ごとに前記カラーシードを決定することは、前記分割画像領域に対応するモルフォロジカルスケルトンを決定し、前記モルフォロジカルスケルトンに色を関連付けることを含み、前記関連付けられた色は前記第２の画像の前記色情報に基づく、付記１７に記載のコンピュータ可読媒体。
（付記２２）
前記モルフォロジカルスケルトンに色を関連付けることは、前記第２の画像内の前記分割画像領域の最多色を決定し、前記最多色を前記モルフォロジカルスケルトンに関連付けることを含む、付記２１に記載のコンピュータ可読媒体。
（付記２３）
前記カラーシードを拡散させることに基づいて前記第３の画像を決定することは、前記輝度情報に基づいて前記カラーシードを拡散させることを含む、付記１７に記載のコンピュータ可読媒体。
（付記２４）
前記第１の画像の前記輝度情報は前記第１の画像の輝度成分を含み、前記第３の画像を決定することは、前記カラーシードを拡散させて色成分を取得し、前記色成分を前記第１の画像の前記輝度成分と組み合わせることを含む、付記２３に記載のコンピュータ可読媒体。